(57)【要約】【課題】  １台の調整器によって、自動ドア装置の複数の自動ドア構成機器のパラメータを調整する。【解決手段】  複数の自動ドア構成機器１０、１４、１６、１８、２０と、調整器２６が、バス１２を介して通信可能である。各機器の１０、１４、１６、１８、２０動作パラメータの調整用のメニュー情報が、例えば調整器２６のフラッシュメモリ３８に記憶されている。調整器２６が、各機器１０、１４、１６、１８、２０に、それぞれに割り当てられている認識符号をバス１２を介して送信することを要求し、機器１０、１４、１６、１８、２０から送信された認識符号に対応するメニュー情報をフラッシュメモリから読み出し、メニュー情報に基づく各機器の設定画面を調整器２６の表示部に表示する。【選択図】        図１
2007231665.tif 000002
【特許請求の範囲】
【請求項１】
バスに接続された複数の自動ドア装置構成機器と、
前記バスを介して前記各機器と通信可能に接続され、前記各機器の各種データを取得する調整器と、
前記各機器のメニュー情報を記憶する記憶手段とを、
備えた自動ドア装置であって、
前記調整器が、
前記各機器に、それぞれに割り当てられている認識符号を前記バスを介して送信することを要求する手段と、
前記各機器から送信された前記認識符号に対応するメニュー情報を前記記憶手段から読み出す手段と、
前記メニュー情報に基づく前記各機器の設定画面を前記調整器の表示部に表示させる手段とを、
備える自動ドア装置。
【請求項２】
請求項１記載の自動ドア装置において、前記メニュー情報が前記調整器が備える記憶手段に格納されている自動ドア装置。
【請求項３】
請求項１記載の自動ドア装置において、前記メニュー情報が前記各機器が備える記憶手段に格納されている自動ドア装置。
【請求項４】
請求項１記載の自動ドア装置において、前記認識符号は、少なくとも前記各機器の機種を表す機種符号を含み、この機種符号に対応したメニュー情報が読み出される自動ドア装置。
【発明の詳細な説明】
【技術分野】
【０００１】
本発明は、自動ドア装置に関し、特に、自動ドア装置を構成する各機器の調整に関する。
【背景技術】
【０００２】
自動ドア装置は、複数の自動ドア構成機器、例えば自動ドアの速度等の制御を行うドアコントローラや、通行者等を検出するためのセンサ等を有している。これら自動ドア構成機器の動作パラメータを、自動ドア装置の設置環境や自動ドアの施主の希望に応じて、設定する必要がある。この動作パラメータの設定にハンディターミナルを使用することが知られている。例えば、特許文献１の技術では、ドアコントローラにハンディターミナルを接続すると、ドアコントローラに現在設定されている各パラメータが、ハンディターミナルに伝送され、ハンディターミナルの表示部に表示される。この表示を見ながら、変更したいパラメータを入力装置によって変更すると、変更されたパラメータがドアコントローラに伝送され、ドアコントローラに記憶される。
【０００３】
【特許文献１】特開平３−７６９８４号公報
【発明の開示】
【発明が解決しようとする課題】
【０００４】
しかし、特許文献１には詳細に記載されていないが、ハンディターミナルは、特定機種のドアコントローラ専用に構成されており、ハンディターミナルの表示部に表示されるパラメータ設定用の表示は、特定のドアコントローラの各パラメータに対応したものにされている。従って、他の機種のドアコントローラに、このハンディターミナルを使用しようとすると、他の機種で必要なパラメータの設定ができなかったり、或いは他のパラメータ設定用の表示を、その表示されている内容をハンディターミナルの使用者が読み替えて使用したりしていた。しかも、各種センサのパラメータの設定には全く使用することができない。従って、自動ドア装置のパラメータを調整する作業員は、調整しようとしている自動ドア装置に使用されている複数の自動ドア構成機器それぞれに対応した多くのハンディターミナルを自動ドア装置の設置現場まで携行して行かねばならない。しかも、ハンディターミナルごとに、その使用方法が異なるので、各ハンディターミナルの使用法に習熟する必要がある。
【０００５】
本発明は、自動ドア装置の様々な自動ドア構成機器のパラメータの調整を１台の調整器によって行えるようにした自動ドア装置を提供することを目的とする。
【課題を解決するための手段】
【０００６】
本発明の一態様に自動ドア装置は、複数の自動ドア構成機器、例えばセンサ、ドア制御手段などを有している。これらは、バスを介して接続されている。前記バスを介して前記各機器と通信可能に調整器が接続されている。この調整器は、前記各機器の各種データを取得する。また調整器は、前記各機器が動作するために必要なパラメータを調整するためのデータを前記バスを介して前記各機器に送信可能にすることもできる。また、この自動ドア装置は、前記各機器のメニュー情報を記憶する記憶手段も備えている。メニュー情報は、例えば前記バスに接続される可能性のある複数の自動ドア構成機器に対応したものがそれぞれ設けられ、対応する自動ドア構成機器のパラメータを調整するためのものである。前記調整器は、前記各自動ドア構成機器に、それぞれ割り当てられている認識符号を前記バスを介して送信することを要求する手段を有している。前記調整器は、前記各機器から送信された認識符号に対応するメニュー情報を前記記憶手段から読み出す手段も、有している。調整器は、更に、前記メニュー情報に基づく前記各機器の設定画面を前記調整器の表示部に表示させる手段とを、備えている。
【０００７】
このように構成された自動ドア装置では、調整器からバスに送信要求を送ることによって、バスに接続されている自動ドア構成機器からそれぞれ認識符号が調整器に送信される。これによって、調整器では、記憶手段に記憶されている認識符号に対応する自動ドア構成機器のメニュー情報を読み出し、このメニュー情報に基づいて各自動ドア構成機器の設定画面が調整器の表示部に表示される。従って、１台の調整器を利用して、複数のそれぞれ異なる自動ドア構成機器のパラメータを設定することが可能となる。
【０００８】
前記メニュー情報は、前記調整器が備える記憶手段に格納することができる。このように調整器が備える記憶手段にメニュー情報を記憶させておけば、例えば新しい自動ドア構成機器が開発された場合に、その新しい自動ドア構成機器用のメニュー情報を調整器の記憶手段に記憶させるだけで対応することができる。
【０００９】
或いは、前記メニュー情報は、前記各機器が備える記憶手段に格納することもできる。このように各自動ドア構成機器が備える記憶手段にメニュー情報を記憶させておけば、例えば同一の自動ドア構成機器用のメニュー情報が更新されても、調整器側で何ら対応しなくても、更新されたメニュー情報を使用してパラメータの設定を行うことができる。
【００１０】
前記認識符号は、少なくとも前記各機器の機種を表す機種符号を含むことができる。この機種符号に対応したメニュー情報が、記憶手段から読み出される。このように構成すると、同一の自動ドア構成機器の中に機種が異なるものがあっても、各機種に対応したメニュー情報を使用することができる。
【発明の効果】
【００１１】
以上のように、本発明によれば、１台の調整器によって、自動ドア装置の複数の自動ドア構成機器のパラメータを容易に調整することができる。
【発明を実施するための最良の形態】
【００１２】
本発明の第１の実施形態の自動ドア装置は、図１に示すように、建物の部屋の内外を区画する壁に形成されたドア開口２を開閉するドア４、４を有している。このドア４、４は、その上方に設けられた無目６内に設けられたドア駆動部８によって開閉される。
【００１３】
ドア駆動部８は、制御手段、例えばドアコントローラ１０からの指示に従ってドア４、４を開閉する。ドアコントローラ１０は、無目６内に配置されたバス、例えばＣＡＮバス１２に接続されている。このＣＡＮバス１２には、室内起動センサ１４、室外起動センサ１６、補助センサ１８、電気錠コントローラ２０が接続されている。
【００１４】
室内起動センサ１４は、ドア開口２が形成されている壁の内側の部屋からドア開口２に向かって進行する或いはドア開口２から部屋内に進行する移動体、例えば通行者を検知する。また、室外起動センサ１６は、ドア開口２が形成されている壁の外側からドア開口２に向かって進行する或いはドア開口２から屋外側に向かって進行する移動体、例えば通行者を検知する。また、補助センサ１８は、例えばドア開口２及びその近傍に停止している通行者を検知する。電気錠コントローラ２０は、ドア４、４がドア開口２を閉じている状態において、ドア４、４をソレノイド２２を用いて施錠しており、ドア４、４がドア開口２を開く際に、ソレノイド２２を用いて解錠する。
【００１５】
室内起動センサ１４、室外起動センサ１６及び補助センサ１８はＣＡＮバス１２を介して検出信号をドアコントローラ１０に送り、ドアコントローラ１０は、これら検出信号に応じてドア４、４を開くか、閉じるか決定し、その決定に応じた指令をドア駆動部８に与える。また、電気錠コントローラ２０は、ドアコントローラ１０からＣＡＮバス１２を介して伝送された指令に応じて、ソレノイド２２の励磁または消磁を行い、電気錠の施錠、解錠を行う。
【００１６】
ドアコントローラ１０、室内起動センサ１４、室外起動センサ１６、補助センサ１８及び電気錠コントローラ２０を動作させる際、それぞれに動作パラメータを設定する必要がある。例えばドアコントローラ１０では、ドア４、４の開速度、閉速度、オープンタイマ等がある。オープンタイマは、例えばドア４、４を開いた後、室内及び室外起動センサ１４、１６、補助センサ１８において通行者を検出しなくなってからどの程度の時間の経過後にドアを閉じるかを定めるものである。室内起動センサ１４、室外起動センサ１６では、ドア開口からどれだけの距離を検知エリアとするかを定めるエリア設定等がある。また、電気錠コントローラ２０では、施錠に要する施錠時間や解錠に要する解錠時間等がある。
【００１７】
これら動作パラメータは、ＣＡＮバス１２に接続されているプロトコル変換器２４に無線または有線によって通信可能な調整器２６によって行われる。調整器２６は、図２に示すように、制御手段、例えばＣＰＵ２８を有し、記憶手段、例えばＲＯＭ３０に記憶されているプログラムに従って、記憶手段、例えばＲＡＭ３２をワーキングエリアとして使用しながら、上述した動作パラメータの設定を行う。その動作パラメータの設定の際に、各動作パラメータの現在の状態を表すメニュー情報を表示するための表示部３４、パラメータの値を入力するための入力手段、例えばキーボード３６も、ＣＰＵ２８に接続されている。更に調整器２６には、自動ドア装置の様々な自動ドア構成機器用のメニュー情報が、記憶手段、例えば書き換え可能な不揮発性記憶手段、例えばフラッシュメモリ３８に記憶されている。
【００１８】
自動ドア装置を構成する機器は、上述したようにドアコントローラ１０、室内起動センサ１４、室外起動センサ１６、補助センサ１８及び電気錠コントローラ２０のように異なったものがあり、自動ドア装置の仕様によっては、これら自動ドア構成機器のうち全てが使用されるとは限らない。また、同一の自動ドア構成機器、例えば室内起動センサ１４では、通行者の検知に赤外線の反射方式を使用するものがあったり、赤外線を用いて室内起動センサ１４から通行者までの距離を測定する方式のものがあったりする。フラッシュメモリ３８には、これら様々な自動ドア構成機器の様々なメニュー情報が記憶されている。なお、図示していないが、調整器２６は、ＣＡＮバス１２を介して他の自動ドア構成機器と通信するための通信手段、例えばＣＡＮトランシーバを備えている。
【００１９】
図３は、自動ドア構成機器のうちドアコントローラ１０の構成を示したもので、制御手段、例えばＣＰＵ４０を有し、ＣＰＵ４０は、記憶手段、例えばＲＯＭ４２に記憶されているプログラムに従って、記憶手段、例えばＲＡＭ４４をワーキングエリアとして使用して、モータ駆動部８を制御する。この制御には、不揮発性記憶手段、例えばＥＥＰＲＯＭ４６に記憶されている動作パラメータが使用される。調整器２６と同様に、ドアコントローラ１０も通信手段、例えばＣＡＮトランシーバを有している。図示していないが、他の自動ドア構成機器も、ＣＰＵ、ＲＯＭ、ＲＡＭ及びＥＥＰＲＯＭ、ＣＡＮトランシーバを少なくとも備えている。
【００２０】
各自動ドア構成機器には、それぞれ異なる識別ＩＤが付され、例えばＥＥＰＲＯＭに記憶されている。また、各自動ドア構成機器は、その機種を表す機種符号、例えば機種ＩＤも有している。これら識別ＩＤと機種ＩＤとによって認識符号が構成されている。
【００２１】
図１に符号４８で示したのは、各自動ドア構成機器のＣＡＮバス１２へのコネクタ、符号５０で示すのは、ＣＡＮバス１２の終端に接続された終端抵抗器である。
【００２２】
このように構成された自動ドア装置において、調整器２６が動作パラメータの調整を行う場合、図４の左側に示すように、まず各自動ドア構成機器にプロトコル変換器２４、ＣＡＮバス１２を介してそれぞれの識別ＩＤと機種ＩＤの送信をブロードキャストで要求する（ステップＳ２）。この指示は、例えばキーボード３６を操作することによって与えられる。各自動ドア構成機器では、同図右側に示すように識別ＩＤと機種ＩＤの送信要求があるか判断しており（ステップＳ４）、その判断の答えがイエスになるまで、ステップＳ４を繰り返している。ステップＳ４の判断の答えがイエスになると、識別ＩＤと機種ＩＤをＣＡＮバス１２に送信し（ステップＳ６）、処理を終了する。
【００２３】
一方、調整器２６では、ステップＳ２に続いて識別ＩＤと機種ＩＤを受信したか判断しており（ステップＳ８）、この判断の答えがイエスの場合には、受信した識別ＩＤと機種ＩＤを例えばＲＡＭ３２上に構成した機器リストに追加する（ステップＳ１０）。このステップＳ１０に続いて、或いはステップＳ８の判断の答えがノーの場合、送信要求を行ってから一定時間が経過したか判断する（ステップＳ１２）。この一定時間は、送信要求を行ってから全ての自動ドア構成機器から識別ＩＤと機種ＩＤを受信するために必要な時間よりも幾分長目に設定されている。ステップＳ１２の判断の答えがノーの場合、ステップＳ８から再び実行する。ステップＳ１２の判断の答えがイエスになると、この自動ドア装置を構成している全ての自動ドア構成機器から識別ＩＤと機種ＩＤの送信を受けたと考えられるので、上記の機器リストを表示部３４に表示する（ステップＳ１４）。この表示を見ることによって、この自動ドア装置がどのような自動ドア構成機器によって構成されているかを知ることができる。なお、識別ＩＤと機種ＩＤと共に機器名を表示部３４に表示することもできる。従って、調整器２６は、特定の自動ドア装置専用のものではなく、どのような自動ドア装置にも使用することができる汎用性のあるものである。
【００２４】
このようにして表示された各自動ドア構成機器のうちから動作パラメータを調整したい自動ドア構成機器を、キーボード３６の操作によって図５の左側に示すように選択する（ステップＳ１６）。選択した自動ドア構成機器の識別ＩＤと、命令コマンドとがプロトコル変換器２４、ＣＡＮバス１２を介して送信される（ステップＳ１８）。この命令コマンドは、選択した機器の現在の動作パラメータの送信を要求するものである。各自動ドア構成機器では、同図の右側に示すように、ＣＡＮバス１２を介して送信されてくる識別ＩＤが自己の識別ＩＤに一致するか判定しており（ステップＳ２０）、一致していないと、このステップＳ２０を繰り返す。一方、一致していると、現在の動作パラメータの設定値をＥＥＰＲＯＭから読み出し、ＣＡＮバス１２に送信し（ステップＳ２２）、処理を終了する。
【００２５】
調整器２６では、ステップＳ１８に続いて、送信要求を行った自動ドア構成機器から動作パラメータの設定値をＣＡＮバス１２及びプロトコル変換器２４を介して受信する（ステップＳ２４）。次に、受信した機種ＩＤに対応するメニュー情報をフラッシュメモリ３８から読み出し（ステップＳ２６）、表示部３４にメニュー画面として表示する（ステップＳ２８）。このとき、メニュー画面には送信されてきた動作パラメータの値が挿入されている。
【００２６】
図６に、このようにして表示されたメニュー画面の一例として、ドアコントローラ１０のメニュー画面を示す。このメニュー画面では、機器名としてドアコントローラと表示され、その型式と識別ＩＤとが表示されている。更に、現在の動作パラメータの名称、例えば開速度、閉速度、オープンタイマと、これらパラメータの現在の設定値が表示されている。さらに、これら現在の設定値の後ろには、パラメータとして設定可能な数値範囲が、調整範囲との文字と共に表示されている。
【００２７】
このようにしてメニュー画面が表示されると、図７の左側に示すように、動作パラメータのうち変更したい項目をキーボード３８を操作して選択する（ステップＳ３０）。例えば図６で言えば、開速度、閉速度及びオープンタイマのうち、値を変更したいものを選択する。そして、キーボード３８を操作して設定値を所望の値に変更し（ステップＳ３２）、設定完了の指示がキーボード３８から供給されているか判断する（ステップＳ３４）。この判断の答えがノーであると、ステップＳ３０から再び実行し、他の動作パラメータのうち所望のものの値が変更される。ステップＳ３４の判断の答えがイエスになると、動作パラメータの調整が終了したので、変更された動作パラメータを送る自動ドア構成機器の識別ＩＤと設定値（各動作パラメータの値）がプロトコル変換器２４を介してＣＡＮバス１２に送信され（ステップＳ３６）、この処理を終了する。
【００２８】
一方、各自動ドア構成機器では、ＣＡＮバス１２を介して送信されてきた識別ＩＤが自己に割り当てられているものと一致するか判断し（ステップＳ３８）、この判断の答えがノーの場合、ステップＳ３８を繰り返す。この判断の答えがイエスであると、識別ＩＤと共に受信した設定値をＥＥＰＲＯＭに書き込み（ステップＳ４０）、この処理を終了する。これによって、以後、変更された動作パラメータによって、この自動ドア構成機器は、動作する。
【００２９】
第２の実施形態の自動ドア装置は、構成は第１の実施の形態とほぼ同様であるが、各メニュー情報は調整器２６のフラッシュメモリ３８に記憶されるのではなく、各自動ドア構成機器のＥＥＰＲＯＭにそれぞれ記憶されている。
【００３０】
従って、図４に関連して説明したのと同様に各自動ドア構成機器の機器リストが調整器２６で作成され、表示された後、図８の左側に示すように、調整器２６において、機器リストから動作パラメータを変更しようとする機器をキーボード３４の操作によって選択すると（ステップＳ４２）、選択された機器の識別ＩＤと命令コマンドとがＣＡＮバス１２に送信される（ステップＳ４４）。この命令コマンドは、メニュー情報と各動作パラメータとの送信を要求するものである。
【００３１】
一方、各自動ドア構成機器では、ＣＡＮバス１２を介して送信されてくる識別ＩＤが自己に割り当てられている識別ＩＤに一致するか判断し（ステップＳ４６）、この判断の答えがノーの場合、このステップＳ４６を繰り返す。この判断の答えがイエスの場合、自動ドア構成機器は、自己のＥＥＰＲＯＭに記憶されているメニュー情報と現在の動作パラメータの設定値とをＣＡＮバス１２に送信し（ステップＳ４８）、この処理を終了する。
【００３２】
一方、調整器２６では、ステップＳ４４に続いて、メニュー情報と設定値とをＣＡＮバス１２、プロトコル変換器２４を介して受信し（ステップＳ５０）、メニュー画面を表示する（ステップＳ５２）。以下、図７に関連して説明したのと同様に、動作パラメータの変更が行われ、メニュー情報と設定値とを送信した自動ドア構成機器のＥＥＰＲＯＭに書き込まれる。
【００３３】
上記の２つの実施形態では、調整器２６から各自動ドア構成機器に識別ＩＤの送信を要求することによって機器リストを構成して表示した。しかし、場合によっては、各自動ドア構成機器のうち特定の１台、例えばドアコントローラ１０が、自動ドア装置を構成している各自動ドア構成機器の識別ＩＤリストを備えていることがある。このような場合には、調整器２６は、図９の左側に示すように、ドアコントローラ１０に識別ＩＤリストの送信を要求する（ステップＳ５４）。一方、ドアコントローラ１０では、識別ＩＤリストの送信要求があるか判断し（ステップＳ５６）、この判断の答えがノーの場合、ステップＳ５６を繰り返す。この判断の答えがイエスの場合、識別ＩＤリストをＣＡＮバス１２に送信し（ステップＳ５８）、処理を終了する。
【００３４】
一方、調整器２６では、ＣＡＮバス１２及びプロトコル変換器２４を介して識別リストを受信したか判断し（ステップＳ６０）、この判断の答えがノーであるとき、ステップＳ６０を繰り返す。ステップＳ６０の判断の答えがイエスになると、受信した識別ＩＤリストから機器リストを作成し表示する（ステップＳ６２）。これら以外の処理は、第１または第２の実施形態と同様に行われる。
【００３５】
上記の実施形態では、自動ドア装置がどのような自動ドア構成機器から構成されているかを知るために、機器リストを構成したが、予め機器リストが判明しており、調整器２６に、記録媒体、例えばメモリカード等に予め機器リストが記録されており、その機器リストを調整器２６に記憶させるような場合には、機器リストを作成する必要はない。上記の実施形態ではＣＡＮバスを使用したが、これに限ったものではなく、他のバスを使用することもできる。また、上記の実施形態では、自動ドア構成機器としてドアコントローラ１０、室内起動センサ１４、室外起動センサ１６、補助センサ１８、電気錠コントローラ２０を示したが、これらに限ったものではなく、例えば認証装置等が追加される場合もある。
【図面の簡単な説明】
【００３６】
【図１】本発明の第１の実施形態の自動ドア装置の概略構成図である。
【図２】図１の自動ドア装置の調整器のブロック図である。
【図３】図１の自動ドア装置のドアコントローラのブロック図である。
【図４】図１の自動ドア装置の調整器において機器リストを作成する際に、調整器及び自動ドア構成機器において行われる処理を示すフローチャートである。
【図５】図１の自動ドア装置の調整器においてメニュー画面を表示するために調整器及び自動ドア構成機器において行われる処理を示すフローチャートである。
【図６】図１の自動ドア装置の調整器の表示部に表示されるメニュー画面の一例を示す図である。
【図７】図１の自動ドア装置の調整器において動作パラメータを設定する際に調整器及び自動ドア構成機器において行われる処理を示すフローチャートである。
【図８】本発明の第２の実施形態においてメニュー画面を表示するために調整器及び自動ドア構成機器において行われる処理を示すフローチャートである。
【図９】第１及び第２の実施形態の変形例におけるメニュー画面を表示するために調整器及びドアコントローラにおいて行われる処理を示すフローチャートである。
【符号の説明】
【００３７】
１０  ドアコントローラ（自動ドア構成機器）
１２  ＣＡＮバス（バス）
１４  室内起動センサ（自動ドア構成機器）
１６  室外起動センサ（自動ドア構成機器）
１８  補助センサ（自動ドア構成機器）
２０  電気錠コントローラ（自動ドア構成機器）
２６  調整器
【図１】
2007231665.tif 000003
【図２】
2007231665.tif 000004
【図３】
2007231665.tif 000005
【図４】
2007231665.tif 000006
【図５】
2007231665.tif 000007
【図６】
2007231665.tif 000008
【図７】
2007231665.tif 000009
【図８】
2007231665.tif 000010
【図９】
2007231665.tif 000011